(57)【要約】【課題】頭髪又は頭皮を、均一又は所望の温度分布が生じるように加温することができ、しかも被施術者の負担をより軽減できる発熱キャップを安価に提供する。【解決手段】頭髪又は頭皮を加温するために人の頭部に被せて使用する発熱キャップ１では、コントロールボックス１０からの通電により発熱するニクロム線４が、そのニクロム線４同士の間隔が存在するように張り巡らされて、頭部を覆う部分を形成している。このため、ニクロム線４の使用量を抑えることができ、発熱キャップ１の重量及び材料費を抑えることができる。しかも、ニクロム線４は、頭部の部位毎に独立して設けられていると共に、そのニクロム線４毎に、個別に通電可能なように構成されているため、各ニクロム線４を所望の温度で発熱させることができるようになって、その結果、頭髪又は頭皮を所望の温度で加温（例えば均一に加温）することができるようになる。【選択図】図１
2008237681.tif 000002
【特許請求の範囲】
【請求項１】
頭髪又は頭皮を加温するために人の頭部に被せて使用する発熱キャップであって、
通電により発熱する発熱線と、
前記発熱線に通電するための通電手段とを備え、
前記発熱線が、その発熱線同士の間隔が存在するように張り巡らされることで、前記頭部を覆う部分を形成していることを特徴とする発熱キャップ。
【請求項２】
請求項１に記載の発熱キャップにおいて、
前記頭部を覆う部分を形成するフレームを備え、
前記発熱線は、前記フレームに沿って張り巡らされると共に該フレームに支持されるようになっていることを特徴とする発熱キャップ。
【請求項３】
請求項１又は請求項２に記載の発熱キャップにおいて、
前記通電手段は、前記発熱線の発熱温度を検出し、その検出した発熱温度が予め設定された所望の温度となるように前記発熱線への通電量を制御するように構成されていることを特徴とする発熱キャップ。
【請求項４】
請求項１ないし請求項３の何れか１項に記載の発熱キャップにおいて、
前記通電手段は、前記発熱線の発熱温度を検出し、その検出した発熱温度が所定の温度以上になると前記発熱線への通電を停止するように構成されていることを特徴とする発熱キャップ。
【請求項５】
請求項３に記載の発熱キャップにおいて、
前記発熱線は複数本あり、その複数本の発熱線のそれぞれについて予め所望の温度が設定されるようになっており、
前記通電手段は、前記複数本の発熱線のそれぞれについて、その発熱温度が予めその発熱線について設定された所望の温度となるように、その発熱線への通電量を制御するようになっていることを特徴とする発熱キャップ。
【請求項６】
請求項４に記載の発熱キャップにおいて、
前記発熱線は複数本あり、
前記通電手段は、前記複数本の発熱線のそれぞれについて発熱温度を検出すると共に、その複数本の発熱線のうち、発熱温度が前記所定の温度以上になった発熱線について、通電を停止するようになっていることを特徴とする発熱キャップ。
【請求項７】
請求項５又は請求項６に記載の発熱キャップにおいて、
前記複数本の発熱線は、それぞれ、前記頭部を覆う部分のうち、互いに重複しない領域を形成することを特徴とする発熱キャップ。
【請求項８】
請求項１ないし請求項７の何れか１項に記載の発熱キャップにおいて、
前記頭部を覆う部分の外側面及び内側面の両方又は一方は、被覆材により覆われていることを特徴とする発熱キャップ。
【請求項９】
請求項８に記載の発熱キャップにおいて、
前記被覆材は、赤外線及びマイナスイオンの両方又は一方を放出する素材からなることを特徴とする発熱キャップ。
【請求項１０】
請求項８又は請求項９に記載の発熱キャップにおいて、
前記被覆材は前記頭部を覆う部分を形成しており、その被覆材と前記発熱線とが互いに
固定されるように構成されていることを特徴とする発熱キャップ。
【請求項１１】
請求項１ないし請求項１０の何れか１項に記載の発熱キャップにおいて、
前記頭部を覆う部分の外側面を覆うように設けられる外装キャップを着脱自在に備えていることを特徴とする発熱キャップ。
【発明の詳細な説明】
【技術分野】
【０００１】
本発明は、頭髪又は頭皮を加温するための発熱キャップに関する。
【背景技術】
【０００２】
従来より、理美容院等においては、頭髪に、パーマネントウエーブ処理、染毛、トリートメント処理等（以下、頭髪処理と記載する）を施すことが行われている。そして、頭髪処理では、その効果を高めたり、或いは効果を長期間持続させたりするため、頭髪を加温することが行われている。具体的には、例えば頭髪処理のための薬剤の浸透効果を高めるためである。
【０００３】
頭髪を加温するための道具としては種々のものがあり、例えば、スチーム、温ミスト、温風、或いはヒータ熱を利用する装置などが知られている（例えば、特許文献１参照）。
特許文献１に記載の装置は、ヒータを備えたものである。そして、頭髪を均一に加温するため、ヒータをアームにより支持し、そのアームを旋回させるようになっている。このため、特許文献１の装置では、ヒータを支持するためのアームに加え、そのアームを支持すると共に旋回させるためのスタンドを備えている。よって、構成が大掛かりなものとなっている。また、熱の照射中は、頭髪を均一に加温するために被施術者が姿勢を維持しなければならない。このため、被施術者に大きな負担をかけてしまう。
【０００４】
そこで、より簡単な構成で、かつ均一に熱を加えることができるようにし、被施術者の負担も軽減できるようにすることを目的とした加温用のキャップが考えられている（例えば、特許文献２参照）。
【０００５】
特許文献２に記載の加温用キャップは、その名の通り帽子のように構成されている。その加温用キャップは、具体的に、頭部全体を覆うことのできる面状の発熱体と、発熱体の両面を覆う被覆体とを中心に構成されている。このため、その加温用キャップを被施術者の頭にかぶせておくことで、被施術者の頭部が動いたとしても、特許文献１の装置と比較すれば被施術者の頭髪には均一に熱が加わるようになると言える。そして、被施術者が姿勢を維持しなくても良いという点では、被施術者の負担は軽減される。また、大掛かりな構成は不要となる。
【特許文献１】特開２０００−１５２８１５号公報
【特許文献２】特開２０００−２８７７４２号公報
【発明の開示】
【発明が解決しようとする課題】
【０００６】
しかしながら、特許文献２の加温用キャップは、発熱体が、被施術者の頭部全体を覆うことができるように面状に構成されているため、発熱体の面積（或いは体積）が大きくなる。このため、発熱体の重量が大きくなり、ひいては加温用キャップ全体の重量が大きくなってしまう。
【０００７】
そうすると、特許文献２の加温用キャップによれば、特許文献１の装置と比較すれば被施術者は確かに姿勢を維持しなくても良くなるかもしれないが、その反面、被施術者の首や肩にかかる加温用キャップの重さによる負荷が大きくなる。このため、被施術者にとって、首を痛めたり、或いは肩が凝ったりしてしまうということが懸念される。
【０００８】
また、上記加温用キャップでは、発熱体を面状に構成するためにより多くの材料が必要
となる。よって、コストの増大を招いてしまう。
本発明は、こうした問題に鑑みなされたもので、頭髪を均一に加温することができ、しかも被施術者の負担をより軽減できる発熱キャップを安価に提供することを目的とする。
【課題を解決するための手段】
【０００９】
上記目的を達成するためになされた請求項１に記載の発明は、頭髪又は頭皮を加温するために人の頭部に被せて使用する発熱キャップである。尚、頭髪を加温することは、頭髪に、パーマネントウエーブ処理、染毛、トリートメント処理等を施す際に行われる。また、頭皮を加温するのは、頭皮の血行を促進する、といった目的で行われる。
【００１０】
そして、請求項１の発熱キャップは、通電により発熱する発熱線と、発熱線に通電するための通電手段とを備え、発熱線が、その発熱線同士の間隔が存在するように張り巡らされることで、頭部を覆う部分を形成していることを特徴とする。
【００１１】
つまり、請求項１に記載の発熱キャップでは、発熱線が隙間をもって張り巡らされており、発熱線が隙間なく張り巡らされる場合と比較して発熱線の使用量を抑えることができる。このため、発熱キャップ全体の重さを抑えることができると共に、コスト増加も抑えることができる。そして、発熱キャップの重さを抑えることができれば、被施術者の首や肩にかかる負荷が軽減されることとなる。
【００１２】
また、請求項１の発熱キャップは、頭部に被せて使用するものであるため、被施術者の頭部が動いたとしても、加温状態の良否には影響しない。しかも、発熱線自体が頭部を覆う部分を形成しているため、発熱線が頭髪に近接するようになって、より確実に、かつ均一に頭髪を加温できるようになる。
【００１３】
ここで、請求項１の発熱キャップでは、請求項２のように構成することが好ましい。
請求項２の発熱キャップでは、頭部を覆う部分を形成するフレームを備え、発熱線は、フレームに沿って張り巡らされると共に該フレームに支持されるようになっている。
【００１４】
請求項２のように、頭部を覆う部分を形成するフレームを備えれば、発熱キャップ全体の強度を維持することができる。このため、発熱キャップ全体を、確実に帽子の形状に維持できるようになり、使用者にとって扱いやすいものとなる。
【００１５】
また、発熱線がフレームに支持されるようにすることで、容易に、発熱線を所望のパターンに配設することができる。そして、発熱線を適切なパターンに配設すれば、頭髪を均一に加温することができるようになる。さらに、所望の温度分布が生じるようにすることができ、これにより、所望の部位を所望の温度で加温することができるようになる。
【００１６】
また、請求項１，２の発熱キャップでは、請求項３のように構成すると使い勝手が良い。
請求項３の発熱キャップでは、通電手段は、発熱線の発熱温度を検出し、その検出した発熱温度が予め設定された所望の温度となるように発熱線への通電量を制御するように構成されている。
【００１７】
尚、具体的に、通電期間及び非通電期間を変えることで、通電量を制御する構成が考えられる。
請求項３の発熱キャップによれば、頭髪又は頭皮に、所望の温度を継続的に加えることができるようになって、頭髪処理（パーマネントウエーブ処理、染毛、トリートメント処理等）の効果や血行促進の効果等が得られやすくなる。
【００１８】
さらに、請求項１〜３の発熱キャップでは、安全性を考慮して、請求項４のように構成することが好ましい。
請求項４の発熱キャップでは、通電手段は、発熱線の発熱温度を検出し、検出した発熱温度が所定の温度以上になると発熱線への通電を停止するように構成されている。
【００１９】
発熱線への通電が停止されると、その発熱線の発熱温度は低下していくこととなるため、発熱線が過度に熱くなってしまうことを防止することができる。よって、頭髪や頭皮を熱により痛めてしまうことを回避できる。このような請求項４の発熱キャップによれば、施術者及び被施術者の双方にとって安心である。
【００２０】
次に、請求項３の発熱キャップでは、特に、請求項５のように構成するとより効果的である。
請求項５の発熱キャップでは、発熱線は複数本あり、その複数本の発熱線のそれぞれについて予め所望の温度が設定されるようになっている。そして、通電手段は、複数本の発熱線のそれぞれについて、その発熱温度が予めその発熱線について設定された所望の温度となるように、その発熱線への通電量を制御するようになっている。
【００２１】
この請求項５の発熱キャップのように、発熱線を複数本備えており、その発熱線のそれぞれが所望の温度に保持されるようにすれば、頭髪又は頭皮への加温温度をよりきめ細やかに制御できるようになる。
【００２２】
次に、請求項４の発熱キャップでは、請求項６のように構成すると良い。
請求項６の発熱キャップでは、発熱線は複数本あり、通電手段は、複数本の発熱線のそれぞれについて発熱温度を検出すると共に、その複数本の発熱線のうち、発熱温度が所定の温度以上になった発熱線について、通電を停止するようになっている。
【００２３】
これによれば、複数本の発熱線のそれぞれについて個々に、過熱が防止されるようになるためより安全である。
ところで、発熱線を複数本備えている場合、頭部の部位に応じて、加温温度を所望の温度にすることもできる。この場合、具体的に、請求項７のように構成すると良い。
【００２４】
請求項７の発熱キャップは、請求項５，６の発熱キャップにおいて、複数本の発熱線は、それぞれ、頭部を覆う部分のうち、互いに重複しない領域を形成することを特徴としている。
【００２５】
このような請求項７の発熱キャップでは、発熱線毎に通電量を変えることで、発熱線が形成する領域毎に、発熱温度を変えることができる。このため、頭部の部位毎に、加温温度を変えることができるようになり、使用者にとって使いやすいものとなる。具体的に、より熱を加える必要がある部分の加温温度を高くしたり、逆に、さほど熱を加えなくてもよい部分の加温温度を低くしたりすることで、頭髪を所望の状態に仕上げることができる。
【００２６】
次に、請求項８の発熱キャップは、請求項１〜７の発熱キャップにおいて、頭部を覆う部分の外側面及び内側面の両方又は一方は、被覆材により覆われていることを特徴としている。
【００２７】
頭部を覆う部分の内側面が被覆材により覆われるようにすれば、発熱線が直接頭髪又は頭皮に触れることがなく安全であり、刺激（過熱）も抑えることができる。また、頭部を覆う部分の外側面が被覆材により覆われるようにすれば、発熱線を隠すことができ見た目に好ましい。この被覆材としては、布素材を用いることができる。
【００２８】
そして特に、請求項８の発熱キャップにおいては、請求項９のように構成すると好ましい。
請求項９の発熱キャップは、被覆材は、赤外線及びマイナスイオンの両方又は一方を放出する素材からなることを特徴としている。
【００２９】
赤外線やマイナスイオンには、健康増進効果があると言われている。具体的に、赤外線により血行が促進されること、或いはマイナスイオンにより疲労回復効果や精神安定効果が得られることなどの実験・研究結果が報告されている。
【００３０】
請求項９の発熱キャップは、被覆材がそのような赤外線及びマイナスイオンを放出する素材からなるため、被施術者の健康増進効果が期待できる。より具体的には、被施術者の頭皮の血行が促進されるなどして、育毛効果が期待できる。特に、上述のようにパーマネントウエーブ処理、染毛、トリートメント処理等においては、薬剤により頭皮にも負担がかかるため、育毛効果が期待できる点は被施術者にとって非常に喜ばしい。
【００３１】
次に、請求項１０の発熱キャップは、請求項８，９の発熱キャップにおいて、被覆材は頭部を覆う部分を形成しており、その被覆材と発熱線とが互いに固定されるように構成されていることを特徴としている。
【００３２】
被覆材と発熱線とが互いに固定されるようにすれば、その被覆材と発熱線とが互いにずれたりすることがなく、使い勝手が向上する。また、発熱線が所望の位置に保持されるようになって、頭髪又は頭皮により確実かつ均一に加温できるようになる。
【００３３】
ところで、格好の良くない発熱キャップを被っても平気である、という人は少ないと思われる。このため、発熱キャップは、外部から見て美しいことが好ましい。
そこで、請求項１１の発熱キャップは、請求項１〜１０の発熱キャップにおいて、頭部を覆う部分の外側面を覆うように設けられる外装キャップを着脱自在に備えていることを特徴としている。
【００３４】
この発熱キャップでは、外装キャップにより、発熱キャップにおける頭部を覆う部分が覆われるようになっている。つまり、頭部を覆う部分（発熱線やフレーム）が外部からは見えなくなる。このため、被施術者は、外部の視線を気にしなくても良くなる。特に、外装キャップを、視覚的に美観を起こさせるようなデザインのものとすれば、発熱キャップを被ることの抵抗感をより払拭することができる。また、外部から見ても美しいものとなり好ましい。
【発明を実施するための最良の形態】
【００３５】
以下に、本発明の実施形態を図面に基づき説明する。
図１〜図３は、本発明の発熱キャップ１の具体的な構成を表す図面である。
図１は、後頭部側から見た図面であり、図２は、前頭部側から見た図面であり、図３は、右側頭部側から見た図面である。尚、後、前、右、左、とは、被施術者（つまり、発熱キャップ１を被る人）を基準とした方向である。
【００３６】
以下、図１を中心に説明することとするが、適宜、図２、図３も参照して頂きたい。
図１に示すように、本発明の発熱キャップ１は、輪っか状に形成された輪状フレーム２と、ドーム状に形成された屋根フレーム３と、通電により発熱するニクロム線４と、過熱防止用のサーモスタット５と、ニクロム線４を輪状フレーム２及び屋根フレーム３に固定するための紐部材６と、ニクロム線４の発熱温度を検出するためのサーミスタ９と、ニクロム線４に通電するためのコントロールボックス１０とを備えている。
【００３７】
輪状フレーム２及び屋根フレーム３は、幅が約２０〜２５ｍｍ前後で細長い形状をした透明のプラスチックからなる。より具体的には、ポリカーボネートである。また、屋根フレーム３は、具体的には４本ある。
【００３８】
ポリカーボネートは、詳細は省略するが、衝撃に強い、高温・低温に強い（温度変化に強い）、変形しにくい、電気を通しにくい、燃えにくい、軽い、衛生的、という特徴を有している。
【００３９】
そして、輪状フレーム２と屋根フレーム３とで、人の頭部を覆う部分を形成している。ところで、輪状フレーム２と屋根フレーム３とは、各々の交錯部分において、接着部材７により接着されている。屋根フレーム３同士においても同様である。
【００４０】
ニクロム線４は、図示しないが、具体的に、ニクロムよりなる心線と、その心線を覆う被覆材とからなる。
紐部材６は、グラスウールからなる。具体的に、細いガラス繊維からなるものであり、耐熱性に優れている。
【００４１】
図１において、輪状フレーム２及び屋根フレーム３には、紐部材６を通すための通し穴３ａが複数箇所に設けられている。そして、ニクロム線４は、所望のパターンで張り巡らされると共に、通し穴３ａの部分で、紐部材６により、輪状フレーム２或いは屋根フレーム３に固定されるようになっている。ニクロム線４は、張り巡らされることで、人の頭部を覆う部分を形成している。
【００４２】
ところで、通し穴３ａの数を多くすればするほど、ニクロム線４を所望のパターンに張り巡らせることが容易となる。固定箇所の自由度が大きくなるためである。一方、輪状フレーム２及び屋根フレーム３の強度の観点からは、通し穴３ａは少ない方が良い。本発熱キャップ１では、輪状フレーム２及び屋根フレーム３のそれぞれについて（屋根フレーム３は前述のように４本あるが、その４本のそれぞれについて）、通し穴３ａの数を１０個以内程度にしている。これによれば、固定箇所の自由度も得られ、また、強度が損なわれることもない。尚、通し穴３ａは、円状でも良いし長穴状でも良い。
【００４３】
コントロールボックス１０は、図示はしないが、交流電源に接続するためのコンセントプラグを備えていると共に、交流電源から得た交流電流を直流電流に変換できるようになっている。そして、その直流電流を、ニクロム線４に供給するようになっている。
【００４４】
ニクロム線４には、そのニクロム線４の発熱温度を検出するためのサーミスタ９が設けられている。サーミスタ９の検出値は、コントロールボックス１０に入力されるようになっている。尚、サーミスタ９の本体は、テープ等（図１において、サーミスタ９付近の波線で示している）により、ニクロム線４に固定されるようになっている。
【００４５】
コントロールボックス１０は、サーミスタ９から入力される検出値が表す温度が所望の温度となるように、ニクロム線４への通電量を制御する。具体的に、通電期間、非通電期間を変化させることにより、ニクロム線４への通電量を制御して、そのニクロム線４の発熱温度を所望の温度に制御する。
【００４６】
次に、サーモスタット５は、コントロールボックス１０からニクロム線４への通電経路に接続されると共に、その本体は、ニクロム線４の所望の位置に固定されるようになっている。尚、サーモスタット５の本体は、テープ等（図１において、サーモスタット５付近の波線で示している）により、ニクロム線４に固定されるようになっている。図１の詳細図に基づきさらに説明する。
【００４７】
詳細図に示すように、サーモスタット５の一端側はニクロム線４と接続され、サーモスタット５のニクロム線４と接続される反対側の一端側はコントロールボックス１０と接続される。また、サーモスタット５の本体は、ニクロム線４の所望の位置に固定される。そして、サーモスタット５は、その固定位置におけるニクロム線４の発熱温度を検出して、検出した発熱温度が所定の温度以上になると、その本体内部の接続を遮断する。これにより、ニクロム線４への通電が停止される。
【００４８】
ここで、図４は、サーモスタット５により実現される処理をフローチャートで表したものである。まず、Ｓ１１０で、ニクロム線４の発熱温度を算出する。次に、Ｓ１２０に進み、算出した発熱温度が所定の温度以上か否かを判定し、所定の温度以上でないと判定すると（Ｓ１２０：ＮＯ）、そのまま当該処理を終了する。
【００４９】
一方、Ｓ１２０で算出した発熱温度が所定の温度以上であると判定すると（Ｓ１２０：ＹＥＳ）、Ｓ１３０に移行し、本体内部の接続を遮断する。これにより、ニクロム線４への通電が停止される。尚、発熱温度がある温度まで低下すると、再びサーモスタット５の本体内部の接続が復帰して、通電が開始される。
【００５０】
ところで、本実施形態の発熱キャップ１は、複数本のニクロム線４を備えている。そして、その複数本のニクロム線４の各々に、サーモスタット５及びサーミスタ９が設けられている。また、コントロールボックス１０は、複数本のニクロム線４の各々に、独立して通電することができるように構成されている。
【００５１】
本実施形態では、より具体的には、発熱キャップ１は３本のニクロム線４を有している。
３本のニクロム線の内の一本は、図１に波線の囲みで示すが（「後頭部下部」と指示）、後頭部の下部（えり足及びその周辺付近）に位置するように張り巡らされている。他の一本は、同じく図１の波線の囲みで示すように（「後頭部上部」で指示）、後頭部の上部（つむじの周辺）に位置するように張り巡らされている。
【００５２】
さらに残りの一本は、図２に示しており、右側頭部から前頭部、さらに左側頭部にかけて位置するように張り巡らされている。尚、図２に示す３本目のニクロム線４は、耳の部分は避けるように配設されている。
【００５３】
以下、３本のニクロム線４を特に区別する場合は、後頭部下部用、後頭部上部用、或いは前頭部用と付記する。
後頭部下部用のニクロム線４は、そのニクロム線４同士の間隔がより小さくなるように張り巡らされている（図１参照）。後頭部下部の頭髪は、熱が加わりにくく、またそもそも頭髪処理の効果が現れにくいためである。具体的に、パーマネントウエーブがかかりにくかったり、カラーが入りにくかったり、トリートメント効果が現れにくかったりする。このため、ニクロム線４をより密に張り巡らせることで頭髪により熱が加わるようにして、頭髪処理の効果が得られやすいようにしている。
【００５４】
一方、前頭部用のニクロム線４は、後頭部下部用と比較して、そのニクロム線４同士の間隔が広くなるように張り巡らされている（図２参照）。前頭部や側頭部の頭髪は、比較的頭髪処理の効果が得られやすいためである。
【００５５】
後頭部上部用のニクロム線４は、そのニクロム線４同士の間隔が、後頭部下部用と前頭部用との中間くらいになるように配設されている（図１参照）。
このように、本実施形態の発熱キャップ１では、頭部の部位毎に、異なるニクロム線４が配設されていると共に、そのニクロム線４のそれぞれに独立して通電できるように構成されている。
【００５６】
次に、発熱キャップ１は、図３に簡略化して示すが、その内側面に、被覆材２０を備えている。具体的に、被覆材２０は、発熱キャップ１の内側面全部を覆うように設けられている。そして、この被覆材２０は、耐熱性、耐薬品性、通気性、及び衛生面等に優れた布材（例えば不織布）に、赤外線及びマイナスイオンを放射する素材を配合してなるものである。赤外線及びマイナスイオンを放射する素材としては種々のものがあり、例えば、セラミック、トルマリンなどが知られている。
【００５７】
また、ニクロム線４と被覆材２０とは、互いに固定されている。
次に、発熱キャップ１は、図５に示すような視覚的に美観を有するキャップ（以下、外装キャップと記載する）を着脱自在に備えている。具体的に、図５に示す外装キャップは、発熱キャップ１の頭部を覆う部分（つまり、輪状フレーム２、屋根フレーム３、及びニクロム線４により形成される部分）に被せるようにして使用され、その頭部を覆う部分全体を隠すことができるようになっている。
【００５８】
ところで、図５には、（ａ）〜（ｄ）の４種類の外装キャップを示しているが、これはほんの一例である。外装キャップの種類はいくつあっても良いし、発熱キャップ１の頭部を覆う部分に被せることができるものであれば、どのようなデザインのものでも良い。
【００５９】
ここで、例えば図１に示すように、発熱キャップ１の屋根フレーム３のそれぞれには、外装キャップがその屋根フレーム３上を滑ってしまわないようにするための滑止め部材８が貼付されている。滑止め部材８の表面はざらついており、外装キャップの内側面と接触したときに生じる抵抗により、外装キャップが滑らないようにするものである。
【００６０】
図６に、本実施形態の発熱キャップ１の使用形態の例を示す。図６は、図５（ａ）の外装キャップを使用した例である。この例に示すように、外装キャップの使用により、輪状フレーム２、屋根フレーム３、ニクロム線４、及び紐部材６等が外部からは見えなくなる。さらに、外装キャップのおかげで、見た目が美しくなる。
【００６１】
以上説明したように、本実施形態の発熱キャップ１では、ニクロム線４を、頭部を覆う部分を形成するように張り巡らせることで、その発熱キャップ１自体の形状が構成されるようにしている。より詳しくは、ニクロム線４同士の間隔が存在するように張り巡らされるため、ニクロム線４の使用量を抑えることができる。よって、発熱キャップ１を軽量かつ安価に制作することができる。そして、発熱キャップ１が軽量であるため、被施術者の負担が大幅に軽減される。
【００６２】
しかも、ニクロム線４は、頭部の部位に応じて異なる間隔で張り巡らされ、かつ、その部位毎に独立して設けられているため、所望の状態で頭髪を加温することができる。具体的に、より熱を加えたい部位については、ニクロム線４の間隔を狭くしたり、通電量を増やしたりすることで、より熱が加わるようにすることができる。逆に、それほど熱を加えなくても良い部位については、ニクロム線４の間隔を広くしたり、通電量を減らしたりすることで、過剰に熱が加わることを防止することができる。このようにして、頭髪処理の効果が得られ易くなっている。
【００６３】
また、発熱キャップ１では、ニクロム線４の発熱温度が予め設定された所望の温度となるようにニクロム線４への通電量が制御されると共に、ニクロム線４の発熱温度が所定の温度を超えた場合にはそのニクロム線４への通電が停止されるため安全であり、施術者及び被施術者の双方が安心することができる。
【００６４】
また、発熱キャップ１の頭部を覆う部分に被せられる外装キャップが着脱自在であるため、被施術者は、人目を気にせず発熱キャップ１を使用できる。しかも、例えばその日の服装や気分に応じて、好みの外装キャップを選択して使用できる。第三者にとっても、見た目が美しい。これによれば、美容室（施術者）は、ワンランク上のサービスを顧客（被施術者）に提供できるようになり、他店との差別化を図ることができる。
【００６５】
尚、本実施形態において、ニクロム線４が発熱線に相当し、コントロールボックス１０、サーモスタット５、及びサーミスタ９が通電手段に相当し、輪状フレーム２及び屋根フレーム３がフレームに相当している。
【００６６】
以上、本発明の一実施形態について説明したが、本発明は上記実施形態に限定されるものではなく、本発明の技術範囲内において種々の形態をとることができる。
例えば、上記実施形態において、三本のニクロム線４を用いているが、ニクロム線４は一本でも良い。つまり、ニクロム線４は一本でも複数本でも良い。一本の場合は、ニクロム線４を、一筆書きの要領で頭部全体を覆うように配設すれば良い。
【００６７】
また、上記実施形態において、ニクロム線に代えて、銅線や鉄線など、どのようなものを用いても良い。また、種類の異なるものを併用しても良い。
また、上記実施形態において、サーモスタット５は、一本のニクロム線４に対して１つ設けられているが、一本のニクロム線４に対して複数のサーモスタット５が設けられていても良い。例えば、ニクロム線４の両端側にそれぞれ、サーモスタット５が設けられていても良い。
【００６８】
また、上記実施形態において、輪状フレーム２及び屋根フレーム３の幅は、どのような値でも良い。例えば、強度や形成したい形状等を考慮して所望の値にすることができる。また、ポリカーボネートに限らず、どのような材質でも良い。また、屋根フレーム３は、４本に限らず、何本でも良い。
【００６９】
さらに、上記実施形態において、ボウル状に形成されたフレームを用いても良い。つまり、頭部を覆う部分を隙間無く形成するフレームを用いても良い。
また、上記実施形態において、ニクロム線４は、フレーム（輪状フレーム２及び屋根フレーム３）及び被覆材２０の両方又は一方と固定される構成をとりうる。さらに、被覆材２０は、発熱キャップ１の内側及び外側の両方又は一方に設けられる構成が考えられると共に、両方に設けられている場合に、ニクロム線４は、内側及び外側の被覆材２０の両方又は一方と固定される構成が考えられる。
【００７０】
さらに、上記実施形態において、ニクロム線４を輪状フレーム２及び屋根フレーム３に固定する方法としてはどのような方法でも良く、例えば、針金部材により固定しても良いし、接着剤により接着して固定しても良い。ニクロム線４を被覆材２０に固定する場合も同様である。
【００７１】
また、上記実施形態において、被覆材２０は、赤外線を放射する素材のみを含むものでも良いし、マイナスイオンを放射する素材のみを含むものでも良い。また、勿論、赤外線やマイナスイオンを放出しない素材で被覆材２０を構成しても良い。例えば、綿や不織布等といったような布素材を用いることができる。
【００７２】
また、上記実施形態において、外装キャップは、マジックテープ（登録商標）により着脱自在に構成されていても良い。さらに、マジックテープ（登録商標）の他、ボタン等を用いることもできる。
【図面の簡単な説明】
【００７３】
【図１】発熱キャップ１の構成図である（後頭部側）。
【図２】発熱キャップ１の構成図である（前頭部側）。
【図３】発熱キャップ１の構成図である（右側頭部側）。
【図４】サーモスタット５により実現される処理のフローチャートである。
【図５】外装キャップの一例を示す図面である。
【図６】発熱キャップ１の使用形態の例を表す図面である。
【符号の説明】
【００７４】
１…発熱キャップ、２…輪状フレーム、３…屋根フレーム、３ａ…通し穴、４…ニクロム線、５…サーモスタット、６…紐部材、７…接着部材、８…滑止め部材、９…サーミスタ、１０…コントロールボックス、２０…被覆材。
【図１】
2008237681.tif 000003
【図２】
2008237681.tif 000004
【図３】
2008237681.tif 000005
【図４】
2008237681.tif 000006
【図５】
2008237681.tif 000007
【図６】
2008237681.tif 000008